【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
１つの不平衡線路と、
前記不平衡線路と対向して設置された１つの平衡線路と、
前記平衡線路と固定電位との間に形成された容量とを有することを特徴とする受動部品。
【請求項２】
請求項１記載の受動部品において、
前記不平衡線路の物理長をｄ１、前記平衡線路の物理長をｄ２としたとき、
ｄ１＞ｄ２
であることを特徴とする受動部品。
【請求項３】
請求項１記載の受動部品において、
前記不平衡線路の電気長がλ／４であり、
前記平衡線路の電気長がλ／２であることを特徴とする受動部品。
【請求項４】
請求項１〜３のいずれか１項に記載の受動部品において、
上部シールド電極及び／又は下部シールド電極が形成された誘電体基板を有し、
前記不平衡線路を構成する１つの第１ストリップライン電極と、
前記平衡線路を構成する１つの第２ストリップライン電極と、
前記第２ストリップライン電極との間に前記容量を形成するための容量形成電極とが前記誘電体基板内に形成され、
前記第２ストリップライン電極への前記容量形成電極の接続位置が、平衡出力の位相差及びバランス特性を調整するために、位置調整されていることを特徴とする受動部品。
【請求項５】
請求項４記載の受動部品において、
前記第１ストリップライン電極の形成面と、前記第２ストリップライン電極の形成面とが異なることを特徴とする受動部品。
【請求項６】
請求項４記載の受動部品において、
前記第１ストリップライン電極と前記第２ストリップライン電極とが同一形成面に形成されていることを特徴とする受動部品。
【請求項７】
請求項４〜６のいずれか１項に記載の受動部品において、
前記容量形成電極は、前記第２ストリップライン電極と前記上部又は前記下部シールド電極との間にこれら前記第２ストリップライン電極及び前記上部又は前記下部シールド電極と対向して形成され、
前記固定電位が接地電位であることを特徴とする受動部品。
【請求項８】
請求項４〜６のいずれか１項に記載の受動部品において、
前記容量形成電極は、前記第２ストリップライン電極と前記上部又は前記下部シールド電極との間にこれら前記第２ストリップライン電極及び前記上部又は前記下部シールド電極と対向して形成され、且つ、接地電位と異なる直流電位に固定され、
前記固定電位が前記直流電位であることを特徴とする受動部品。
【請求項９】
少なくとも１つの共振器を有するフィルタ部と、
少なくとも前記フィルタ部の不平衡出力を平衡出力に変換する不平衡−平衡変換部とを有する受動部品において、
前記不平衡−平衡変換部は、
前記フィルタ部における１つの前記共振器と、
前記共振器と対向して設置された１つの平衡線路と、
前記平衡線路と固定電位との間に形成された容量とを有することを特徴とする受動部品。
【請求項１０】
請求項９記載の受動部品において、
前記共振器を構成する不平衡線路の物理長をｄ１、前記平衡線路の物理長をｄ２としたとき、
ｄ１＞ｄ２
であることを特徴とする受動部品。
【請求項１１】
請求項９記載の受動部品において、
前記共振器を構成する不平衡線路の電気長がλ／４であり、
前記平衡線路の電気長がλ／２であることを特徴とする受動部品。
【請求項１２】
請求項９〜１１のいずれか１項に記載の受動部品において、
上部シールド電極及び／又は下部シールド電極が形成された誘電体基板を有し、
前記共振器を構成する１つの共振電極と、
前記平衡線路を構成する１つのストリップライン電極と、
前記ストリップライン電極との間に前記容量を形成するための容量形成電極とが前記誘電体基板内に形成され、
前記ストリップライン電極への前記容量形成電極の接続位置が、平衡出力の位相差及びバランス特性を調整するために、位置調整されていることを特徴とする受動部品。
【請求項１３】
請求項１２記載の受動部品において、
前記共振電極の形成面と、前記ストリップライン電極の形成面とが異なることを特徴とする受動部品。
【請求項１４】
請求項１２記載の受動部品において、
前記共振電極と前記ストリップライン電極とが同一形成面に形成されていることを特徴とする受動部品。
【請求項１５】
請求項１２〜１４のいずれか１項に記載の受動部品において、
前記容量形成電極は、前記ストリップライン電極と前記上部又は前記下部シールド電極との間にこれら前記ストリップライン電極及び前記上部又は前記下部シールド電極と対向して形成され、
前記固定電位が接地電位であることを特徴とする受動部品。
【請求項１６】
請求項１２〜１４のいずれか１項に記載の受動部品において、
前記容量形成電極は、前記ストリップライン電極と前記上部又は前記下部シールド電極との間にこれら前記ストリップライン電極及び前記上部又は前記下部シールド電極と対向して形成され、且つ、接地電位と異なる直流電位に固定され、
前記固定電位が前記直流電位であることを特徴とする受動部品。
【手続補正２】
【補正対象書類名】明細書
【補正対象項目名】０００１
【補正方法】変更
【補正の内容】
【０００１】
本発明は、受動部品に関し、例えば不平衡入力を平衡出力に変換する不平衡−平衡変換回路や、少なくとも１つの共振器を有するフィルタと前記不平衡−平衡変換回路とを有する複合回路に用いて好適な受動部品に関する。
【手続補正３】
【補正対象書類名】明細書
【補正対象項目名】００４５
【補正方法】変更
【補正の内容】
【００４５】
図３において、曲線Ａは、図２Ａに示す比較例に係る受動部品３００の特性を示し、中心周波数ｆａにおいて規定の位相差１８０ｄｅｇとなっている。曲線Ｂは、図２Ｂに示す比較例に係る受動部品３００の特性を示し、中心周波数ｆａでの位相差は規定の１８０ｄｅｇよりも小さい１７０ｄｅｇとなっている。これは平衡線路３０８の物理長ｄ２を短くしたことに起因する。
【手続補正４】
【補正対象書類名】明細書
【補正対象項目名】０１１７
【補正方法】変更
【補正の内容】
【０１１７】
【図１】第１受動部品を示す構成図である。
【図２】図２Ａは比較例に係る受動部品を示す構成図であり、図２Ｂは平衡線路の長さを短くした場合の構成を示す説明図である。
【図３】実施例と比較例の周波数に対する位相差の変化を示す特性図である。
【図４】第２受動部品を示す構成図である。
【図５】第３受動部品を示す構成図である。
【図６】第４受動部品を示す構成図である。
【図７】第５受動部品を示す構成図である。
【図８】第６受動部品を示す構成図である。
【図９】第１バランの外観を示す斜視図である。
【図１０】第１バランの構成を示す分解斜視図である。
【図１１】第２バランの外観を示す斜視図である。
【図１２】第２バランの構成を示す分解斜視図である。
【図１３】第３バランの構成を示す分解斜視図である。
【図１４】第４バランの構成を示す分解斜視図である。
【図１５】第１フィルタ（及び第２フィルタ）の外観を示す斜視図である。
【図１６】第１フィルタの構成を示す分解斜視図である。
【図１７】第２フィルタの構成を示す分解斜視図である。
【図１８】第３フィルタの構成を示す分解斜視図である。
【図１９】第４フィルタの構成を示す分解斜視図である。
【手続補正５】
【補正対象書類名】図面
【補正対象項目名】図２
【補正方法】変更
【補正の内容】
【図２】
2010081501.tif 000001